(57)【特許請求の範囲】
【請求項１】
受付室と保育室とが隣接配置されてなる保育施設であって、
これら受付室と保育室との間には仕切り壁が設けられており、
前記受付室には、来客の受付を、来客と受付者とが立った状態で行うための受付カウンターが、前記仕切り壁から離間するようにして配置されており、
前記仕切り壁には、前記受付カウンターの天板よりも高い位置に、受付室から保育室が見える窓が設けられていることを特徴とする保育施設。
【請求項２】
請求項１に記載の保育施設において、
前記受付カウンターは仕切り壁と平行に配置されており、
これら仕切り壁と受付カウンターとの間が受付ブースとされており、前記窓は、受付者が該受付ブースの床に立った状態で窓から保育室側を見た時に保育室の床面が視認可能な高さに設定されていることを特徴とする保育施設。
【請求項３】
請求項２に記載の保育施設において、
前記受付ブースには、この受付ブースの床上に設置されるとともに前記仕切り壁に固定される下側キャビネットと、この下側キャビネットの上方に位置するとともに前記仕切り壁に固定される上側キャビネットとが設けられており、
これら下側キャビネットと上側キャビネットとの間に前記仕切り壁の一部が露出しており、この仕切り壁の露出部分に前記窓が設けられていることを特徴とする保育施設。
【請求項４】
請求項２または３に記載の保育施設において、
前記受付室は、前記受付ブースと、
この受付ブースと受付室出入口との間に配置される土間床部と、
これら受付ブースおよび土間床部と、前記保育室とに隣接配置されるホール部とを備えており、
前記受付ブースおよびホール部の床は、前記土間床部よりも一段高くなるように設定されていることを特徴とする保育施設。
【請求項５】
請求項１〜４のいずれか一項に記載の保育施設において、
前記保育室には、この保育室の床上に設置されるとともに前記仕切り壁に固定される洗面台が設けられており、
この洗面台の上端部の高さ位置は、前記窓の下端部よりも低くなるように設定されていることを特徴とする保育施設。
【請求項６】
請求項１〜５のいずれか一項に記載の保育施設において、
前記窓は、前記仕切り壁の幅方向一方の側端部から、他方の側端部にかけて設けられていることを特徴とする保育施設。
【請求項７】
請求項１〜６のいずれか一項に記載の保育施設において、
前記受付室と保育室との間には、これら受付室と保育室とを連通する出入口が設けられており、この出入口は前記仕切り壁に近接配置されていることを特徴とする保育施設。
【発明の詳細な説明】
【技術分野】
【０００１】
本発明は、乳児や幼児を保育、教育するための保育施設に関する。
【背景技術】
【０００２】
保護者から委託され、乳児や幼児を保育、教育するための施設として保育園や幼稚園等の保育施設が知られている（例えば、特許文献１参照）。
このような保育施設には、乳児や幼児等の園児を保育するための保育室や、保育者のための職員室等の部屋が配設されるほか、来客の受付が行われる受付室が配設される。
【先行技術文献】
【特許文献】
【０００３】
【特許文献１】特開２００２−０２６９０４号公報
【発明の概要】
【発明が解決しようとする課題】
【０００４】
ところで、保育施設では、限られた人員で多数の園児を保育することが一般的であるため、例えば来客時においては保育室から受付室へと出て、一時的に園児から目を離す場面が生じてしまう場合がある。そこで、来客時に一時的に園児から目を離すことになった場合でも、なるべく園児が視界に入るようにしたいという要望があった。
また近年、学校等では安全管理に関する意識が高まりつつあり、保育施設でも、特に園児の関係者以外の来客時における安全管理のために、来客側から園児が見えないように視線を遮りたいという要望がある。
【０００５】
本発明の課題は、来客時であっても、なるべく園児の姿を視界に入れることができるとともに、来客側から保育室への視線を確実に遮ることが可能な保育施設を提供することを目的とする。
【課題を解決するための手段】
【０００６】
請求項１に記載の発明は、例えば図１〜図６に示すように、受付室２と保育室３とが隣接配置されてなる保育施設１であって、
これら受付室２と保育室３との間には仕切り壁４が設けられており、
前記受付室２には、来客の受付を、来客と受付者とが立った状態で行うための受付カウンター５が、前記仕切り壁４から離間するようにして配置されており、
前記仕切り壁４には、前記受付カウンター５の天板５ａよりも高い位置に、受付室２から保育室３が見える窓６が設けられていることを特徴とする。
【０００７】
請求項１に記載の発明によれば、受付者は前記受付室２側から窓６を介して保育室３内を見ることができるので、例え来客時であっても、こまめに保育室３側に振り向くなどして、なるべく園児の姿を視界に入れることができ、来客応対をしながら保育室３内にいる園児の監視を極力行うことができる。
また、来客の受付を、来客と受付者とが立った状態で行うための受付カウンター５は、前記仕切り壁４から離間するようにして配置されており、受付室２から保育室３が見える窓６は、前記受付カウンター５の天板５ａよりも高い位置に設けられているので、受付カウンター５前に立つ来客側から、この窓６を介して保育室３内にいる園児たちを見ることは極めて困難となり、来客側から保育室３への視線を確実に遮ることが可能となる。
【０００８】
請求項２に記載の発明は、例えば図１〜図６に示すように、請求項１に記載の保育施設１において、
前記受付カウンター５は仕切り壁４と平行に配置されており、
これら仕切り壁４と受付カウンター５との間が受付ブース１０とされており、前記窓６は、受付者が該受付ブース１０の床１０ａに立った状態で窓６から保育室３側を見た時に保育室３の床面３ａが視認可能な高さに設定されていることを特徴とする。
【０００９】
請求項２に記載の発明によれば、例えば身長の低い園児や匍匐したり寝転んだりしている状態の園児でも視界に入れることができるので、保育室３内をより広範に監視することができる。
また、受付カウンター５前に立つ来客は、前記窓６を介して保育室３内を見るときに、前記仕切り壁４と顔を向け、受付者よりも前記仕切り壁４から離間して立っていることになり、来客は、より窓６に近い位置に立っている受付者よりも保育室３内を見にくくなるので、来客側から保育室３への視線をより確実に遮ることが可能となる。
【００１０】
請求項３に記載の発明は、例えば図１〜図４に示すように、請求項２に記載の保育施設１において、
前記受付ブース１０には、この受付ブース１０の床１０ａ上に設置されるとともに前記仕切り壁４に固定される下側キャビネット１０ｂと、この下側キャビネット１０ｂの上方に位置するとともに前記仕切り壁４に固定される上側キャビネット１０ｃとが設けられており、
これら下側キャビネット１０ｂと上側キャビネット１０ｃとの間に前記仕切り壁４の一部が露出しており、この仕切り壁４の露出部分に前記窓６が設けられていることを特徴とする。
【００１１】
請求項３に記載の発明によれば、受付者が前記窓６から保育室３内を見る時に、前記下側キャビネット１０ｂの上方に身を乗り出すようにしたり、前記上側キャビネット１０ｃに頭をぶつけないように腰を屈めたりする動作を自然に行わせることができる。このような動作を行うことによって、受付者の顔を前記窓６に自然に近づけることができるので、保育室３内をより確実に監視することができる。
【００１２】
請求項４に記載の発明は、例えば図１〜図３，図５に示すように、請求項２または３に記載の保育施設において、
前記受付室２は、前記受付ブース１０と、
この受付ブース１０と受付室出入口２ａとの間に配置される土間床部１１と、
これら受付ブース１０および土間床部１１と、前記保育室３とに隣接配置されるホール部１２とを備えており、
前記受付ブース１０およびホール部１２の床１０ａ，１２ａは、前記土間床部１１よりも一段高くなるように設定されていることを特徴とする。
【００１３】
請求項４に記載の発明によれば、前記土間床部１１に来客を立たせた状態で来客応対を行うことによって、来客は、前記窓６を介して保育室３内を見ることが一層困難となるので、来客側から保育室３への視線をさらに確実に遮ることが可能となる。
また、前記ホール部１２が、前記受付ブース１０と保育室３とに隣接配置されているので、受付者は、このホール部１２を介して受付ブース１０と保育室３との間を容易に行き来できるとともに、受付者は必要に応じ、このホール部１２を介して土間床部１１とも容易に行き来できるので、効率の良い動線を確保することができる。
【００１４】
請求項５に記載の発明は、例えば図１，図３，図６に示すように、請求項１〜４のいずれか一項に記載の保育施設１において、
前記保育室３には、この保育室３の床３ａ上に設置されるとともに前記仕切り壁４に固定される洗面台３ｃが設けられており、
この洗面台３ｃの上端部の高さ位置は、前記窓６の下端部よりも低くなるように設定されていることを特徴とする。
【００１５】
請求項５に記載の発明によれば、前記保育室３には、上端部の高さ位置が、前記窓６の下端部よりも低くなるように設定された洗面台３ｃが設けられているので、この洗面台３ｃが設けられた分、仕切り壁４の保育室３側面の下端部付近に生じる死角を無くすことができ、保育室３内をさらに広範に監視することができる。
【００１６】
請求項６に記載の発明は、例えば図１〜図４，図６に示すように、請求項１〜５のいずれか一項に記載の保育施設１において、
前記窓６は、前記仕切り壁４の幅方向一方の側端部から、他方の側端部にかけて設けられていることを特徴とする。
【００１７】
請求項６に記載の発明によれば、前記窓６は、前記仕切り壁４の幅方向一方の側端部から、他方の側端部にかけて設けられているので、前記受付室２から保育室３を見た時の受付者の視界を広くすることができ、保育室３内をより一層広範に監視することができる。
さらに、前記保育室３内の広い範囲で前記受付室２側に立つ人を視界に入れることができるので、来客があった際に気付きやすくなる。
【００１８】
請求項７に記載の発明は、例えば図１，図２，図５，図６に示すように、請求項１〜６のいずれか一項に記載の保育施設１において、
前記受付室２と保育室３との間には、これら受付室２と保育室３とを連通する出入口２ｂが設けられており、この出入口２ｂは前記仕切り壁４に近接配置されていることを特徴とする。
【００１９】
請求項７に記載の発明によれば、前記受付室２と保育室３との間には、これら受付室２と保育室３とを連通する出入口２ｂが設けられており、この出入口２ｂは前記仕切り壁４に近接配置されているので、受付者は、受付室２にいる時に保育室３に急いで行く場合や、保育室３にいる時に受付室２に急いで行く場合に、この出入口２ｂを介して受付室２と保育室３との間をより容易に、かつ素早く行き来することができる。
【発明の効果】
【００２０】
本発明によれば、受付者は受付室側から窓を介して保育室内を見ることができるので、例え来客時であっても、こまめに保育室側に振り向くなどして、なるべく園児の姿を視界に入れることができ、来客応対をしながら保育室内にいる園児の監視を極力行うことができる。
また、来客の受付を、来客と受付者とが立った状態で行うための受付カウンターは、仕切り壁から離間するようにして配置されており、受付室から保育室が見える窓は、受付カウンターの天板よりも高い位置に設けられているので、受付カウンター前に立つ来客側から、この窓を介して保育室内にいる園児たちを見ることは極めて困難となり、来客側から保育室への視線を確実に遮ることが可能となる。
【図面の簡単な説明】
【００２１】
【図１】受付室および保育室付近を示す平面図である。
【図２】同、斜視図である。
【図３】図１のＡ−Ａ断面図である。
【図４】図１のＢ−Ｂ断面図である。
【図５】土間床部側から受付ブース側を見た状態を示す正面図である。
【図６】保育室側から仕切り壁付近を見た状態を示す正面図である。
【発明を実施するための形態】
【００２２】
以下、図面を参照して本発明の実施の形態について説明する。
図１は本発明に係る保育施設の一例を示す平面図である。
図１において符号１は、保育施設を示す。この保育施設１は、保育施設１で勤務する保育士等の受付者が、例えば保護者や新規入園希望者、郵便物配達員、業者等の来客時の応対を行うための受付室２と、乳児や幼児等の園児を保育、教育するための保育室３とが隣接配置されてなる。
前記受付室２は、施設出入口１ａや図示しない２階へと続く階段１ｂを備えるホール１ｃに隣接して配置されており、このホール１ｃとの間に、受付室出入口２ａが設けられている。
前記保育室３は、前記受付室２に隣接するとともに、他の保育室２０に隣接配置されている。また、図１において受付室２および他の保育室２０に隣接して、園児用便所２１や多目的便所２２、エレベーター２３等が設けられたスペースが配置されている。
【００２３】
また、図１〜図６に示すように、前記受付室２と保育室３との間には仕切り壁４が設けられている。
さらに、前記受付室２には、来客の受付を、来客と受付者とが立った状態で行うための受付カウンター５が、前記仕切り壁４から離間するとともに該仕切り壁４と平行に配置されている。
そして、前記仕切り壁４には、前記受付カウンター５の天板５ａよりも高い位置に、受付室２から保育室３が見える窓６が設けられている。
また、これら仕切り壁４と受付カウンター５との間が受付ブース１０とされており、前記窓６は、受付者が該受付ブース１０の床１０ａに立った状態で窓６から保育室３側を見た時に保育室３の床面３ａが視認可能な高さに設定されている。
なお、この窓６の高さは、園児の身長よりも高い位置となるように設定されており、窓６に近づき、見下ろすようにして保育室３を見なければ園児が視界に入らないようになっている。
本実施の形態において、前記受付ブース１０の床１０ａから窓６の下端部までの高さは例えば１１００ｍｍ〜１２００ｍｍ程度に設定されている。また、この窓６の下端部から該窓６の上端部までの高さは例えば４００ｍｍ〜５５０ｍｍ程度に設定されているものとする。
【００２４】
ここで、上述の「立った状態」とは、背伸びや腰を屈める中腰の状態を含む体勢を指しており、種々の座法に則った座る体勢や椅子に座る体勢、ジャンプしたりする状態とは異なる。また、受付者は、このように立った状態で前記仕切り壁４と受付カウンター５との間のスペースを移動し、視野を広げるなどの行為を行うことができる。すなわち、保育室３内が見えにくければ、仕切り壁４側に近づいてから窓６を介して保育室３を覗き込むことによって、視野が広くなる。
なお、極端に身長の低い人が受付者である場合は踏み台等を使用した状態でも、上述の立った状態と同様の体勢であるとみなすこととする。
【００２５】
前記受付室２は、図１に示すように、前記受付ブース１０と、この受付ブース１０と受付室出入口２ａとの間に配置される土間床部１１と、これら受付ブース１０および土間床部１１と前記保育室３とに隣接配置されるホール部１２と、受付ブース１０および土間床部１１と前記保育室３とに隣接配置されるベビーカー置き場１３と、を備えている。
すなわち、前記受付ブース１０を中心に、保育室３と、土間床部１１と、ホール部１２と、ベビーカー置き場１３とが配置されている。
また、この受付室２と前記保育室３との間には、図１，図２，図５，図６に示すように、これら受付室２と保育室３とを連通する出入口２ｂが設けられており、この出入口２ｂは前記仕切り壁４に近接配置されている。さらに、この受付室２と前記保育室２０との間には、図１に示すように、出入口２ｃが設けられている。そして、これら出入口２ｂ，２ｃは、隣り合うようにして配置されている。
【００２６】
前記受付ブース１０には、図３および図４に示すように、この受付ブース１０の床１０ａ上に設置されるとともに前記仕切り壁４に固定される下側キャビネット１０ｂと、この下側キャビネット１０ｂの上方に位置するとともに前記仕切り壁４に固定される上側キャビネット１０ｃとが設けられている。
そして、これら下側キャビネット１０ｂと上側キャビネット１０ｃとの間に前記仕切り壁４の一部が露出しており、この仕切り壁４の露出部分に前記窓６が設けられている。
【００２７】
前記土間床部１１には、図１および図５に示すように、前記受付カウンター５の土間側部５ｂの長さ方向に沿って、玄関用棚１１ａが設置されている。また、この玄関用棚１１ａの受付カウンター５とは反対側の端部の付近に、前記ベビーカー置き場１３の出入口が設けられている。
【００２８】
また、前記受付ブース１０およびホール部１２の床１０ａ，１２ａは、図１，図３，図５に示すように、前記土間床部１１よりも一段高くなるように設定されている。
また、前記土間床部１１は、前記ベビーカー置き場１３の床１３ａおよびホール１ｃの床と同じ床レベルとなるように設定されており、施設出入口１ａからベビーカー置き場１３へのベビーカーの移動がしやすい。
さらに、前記土間床部１１には、この土間床部１１とホール部１２との間に斜面を形成するスロープ（図示せず）を設けるようにしても良い。
【００２９】
なお、前記仕切り壁４の受付室２側の壁面４ａは、前記窓６が設けられる中央壁面と、この中央壁面の左右側端部に、該中央壁面と直交する方向に配置される左右側壁面とによって平断面視略凹状に構成されており、前記下側キャビネット１０ｂおよび上側キャビネット１０ｃは、図１および図４に示すように、左右側壁面間にわたって設けられている。
【００３０】
また、前記受付カウンター５は、図１に示すように、土間側部５ｂと、ホール側部５ｃとを有しており、平面視略Ｌ字型に形成されている。
また、来客時の状況としては、図１〜図３に示すように、受付者は、前記仕切り壁４と受付カウンター５との間において前記受付ブース１０の床１０ａ上に立ち、来客は、受付カウンター５を挟んで受付者と向かい合うようにして前記土間床部１１上に立つような状態となる。すなわち、来客は、受付者よりも一段低い床上に立つことになる。
【００３１】
また、前記窓６は、図１〜図４，図６前記仕切り壁４の幅方向一方の側端部から、他方の側端部にかけて設けられている。
なお、本実施の形態の窓６は、略等しい大きさで矩形状の横長な開口部を２つ、前記仕切り壁４の幅方向に沿って並べるようにして形成するとともに、これら２つの開口部にガラス等の透光性を有する部材をそれぞれ嵌め込むことによって構成されている。また、これら２つの開口部の間には中間柱６ａが設けられる。
また、この窓６には、ガラス等の透光性を有する部材によって構成された引き戸装置等を設けるようにしてもよいものとする。すなわち、窓６が開放されていれば、園児の声なども聞き取りやすい。
【００３２】
前記保育室３には、図１，図３，図６に示すように、この保育室３の床３ａ上に設置されるとともに前記仕切り壁４に固定される洗面台３ｃが設けられている。また、この洗面台３ｃの上端部の高さ位置は、前記窓６の下端部よりも低くなるように設定されている。
また、この保育室３には、前記洗面台３ｃに隣接して収納棚３ｄが設けられている。
さらに、前記仕切り壁４の保育室３側の壁面４ｂは、前記窓６が設けられる中央壁面と、この中央壁面の左右側端部に、該中央壁面と直交する方向に配置される左右側壁面とによって平断面視略凹状に構成されており、前記洗面台３ｃおよび収納棚３ｄは、図１および図６に示すように、左右側壁面間に並んで配置されている。
なお、保育室３の床は、前記受付室２との行き来を行う出入口２ｂおよび仕切り壁４付近の床３ａと、この床３ａよりも一段低い床３ｂとで構成されている。これによって、保育室３内で保育する園児の行動が匍匐を主とするものである場合に、低い方の床３ｂで保育を行うことによって、一段高い床３ａに園児が上がりにくくなるので、前記受付室２から窓６を介して保育室３を見た場合に見やすい。
【００３３】
なお、図示はしないが、例えば、前記受付室２に、前記受付室出入口２ａの人の出入りを感知するセンサー等を設けるとともに、前記保育室３に、前記受付室出入口２ａに人の出入りがあった際に保育室３内にいる保育士等に対して、これを報知する報知手段を設けるようにしても良い。
【００３４】
次に、以上のような保育施設１で、保育士である受付者が来客の応対を行う際の流れについて説明する。
まず、保育室３内で園児の保育を行っている保育士は、前記出入口２ｂを通り、受付室２へと移動する。受付室２内では、ホール部１２から受付ブース１０へと移動する。この時、来客は、前記土間床部１１上に立っているものとする。
【００３５】
受付ブース１０へと移動した保育士は、受付者として、前記受付カウンター５を挟んで来客と向かい合い、応対を行う。
この時、受付者である保育士は、前記窓６を介して保育室３内を見ることができるため、来客の応対をしながら、こまめに保育室３側に振り向くなどして、なるべく園児の姿を視界に入れるようにする。
【００３６】
来客の応対が終われば、保育士は、受付ブース１０からホール部１２へと移動し、前記出入口２ｂを通って、前記保育室３へと戻るようにする。
以上のようにして、保育士である受付者によって来客の応対を行うことができる。
【００３７】
本実施の形態によれば、受付者は前記受付室２側から窓６を介して保育室３内を見ることができるので、例え来客時であっても、こまめに保育室３側に振り向くなどして、なるべく園児の姿を視界に入れることができ、来客応対をしながら保育室３内にいる園児の監視を極力行うことができる。
また、来客の受付を、来客と受付者とが立った状態で行うための受付カウンター５は、前記仕切り壁４から離間するようにして配置されており、受付室２から保育室３が見える窓６は、前記受付カウンター５の天板５ａよりも高い位置に設けられているので、受付カウンター５前に立つ来客側から、この窓６を介して保育室３内にいる園児たちを見ることは極めて困難となり、来客側から保育室３への視線を確実に遮ることが可能となる。
【００３８】
また、前記受付カウンター５は仕切り壁４と平行に配置されており、これら仕切り壁４と受付カウンター５との間が受付ブース１０とされており、前記窓６は、受付者が該受付ブース１０の床１０ａに立った状態で窓６から保育室３側を見た時に保育室３の床面３ａが視認可能な高さに設定されていることから、例えば身長の低い園児や匍匐したり寝転んだりしている状態の園児でも視界に入れることができるので、保育室３内をより広範に監視することができる。
また、受付カウンター５前に立つ来客は、前記窓６を介して保育室３内を見るときに、前記仕切り壁４と顔を向け、受付者よりも前記仕切り壁４から離間して立っていることになり、来客は、より窓６に近い位置に立っている受付者よりも保育室３内を見にくくなるので、来客側から保育室３への視線をより確実に遮ることが可能となる。
【００３９】
また、前記受付ブース１０には、前記下側キャビネット１０ｂと上側キャビネット１０ｃとが設けられており、これら下側キャビネット１０ｂと上側キャビネット１０ｃとの間に前記仕切り壁４の一部が露出しており、この仕切り壁４の露出部分に前記窓６が設けられていることから、受付者が前記窓６から保育室３内を見る時に、前記下側キャビネット１０ｂの上方に身を乗り出すようにしたり、前記上側キャビネット１０ｃに頭をぶつけないように腰を屈めたりする動作を自然に行わせることができる。このような動作を行うことによって、受付者の顔を前記窓６に自然に近づけることができるので、保育室３内をより確実に監視することができる。
【００４０】
また、前記受付室２は、前記受付ブース１０と、前記土間床部１１と、前記ホール部１２とを備えており、前記受付ブース１０およびホール部１２の床１０ａ，１２ａは、前記土間床部１１よりも一段高くなるように設定されていることから、前記土間床部１１に来客を立たせた状態で来客応対を行うことによって、来客は、前記窓６を介して保育室３内を見ることが一層困難となるので、来客側から保育室３への視線をさらに確実に遮ることが可能となる。
また、前記ホール部１２が、前記受付ブース１０と保育室３とに隣接配置されているので、受付者は、このホール部１２を介して受付ブース１０と保育室３との間を容易に行き来できるとともに、受付者は必要に応じ、このホール部１２を介して土間床部１１とも容易に行き来できるので、効率の良い動線を確保することができる。
【００４１】
また、前記保育室３には、上端部の高さ位置が、前記窓６の下端部よりも低くなるように設定された洗面台３ｃが設けられているので、この洗面台３ｃが設けられた分、仕切り壁４の保育室３側面の下端部付近に生じる死角を無くすことができ、保育室３内をさらに広範に監視することができる。
【００４２】
また、前記窓６は、前記仕切り壁４の幅方向一方の側端部から、他方の側端部にかけて設けられているので、前記受付室２から保育室３を見た時の受付者の視界を広くすることができ、保育室３内をより一層広範に監視することができる。
さらに、前記保育室３内の広い範囲で前記受付室２側に立つ人を視界に入れることができるので、来客があった際に気付きやすくなる。
【００４３】
また、前記受付室２と保育室３との間には、これら受付室２と保育室３とを連通する出入口２ｂが設けられており、この出入口２ｂは前記仕切り壁４に近接配置されているので、受付者は、受付室２にいる時に保育室３に急いで行く場合や、保育室３にいる時に受付室２に急いで行く場合に、この出入口２ｂを介して受付室２と保育室３との間をより容易に、かつ素早く行き来することができる。
【符号の説明】
【００４４】
１  保育施設
２  受付室
３  保育室
４  仕切り壁
５  受付カウンター
６  窓
【図１】
0005496742.tif 000002
【図２】
0005496742.tif 000003
【図３】
0005496742.tif 000004
【図４】
0005496742.tif 000005
【図５】
0005496742.tif 000006
【図６】
0005496742.tif 000007